(57)【要約】【課題】スピーカの音を出す複数の開口部を有する端末装置において、音量不足を抑制する。【解決手段】スピーカ３８の音を外部に出す第一開口部４０及び第二開口部４２を備える第一筐体（本体筐体２４）に、第二筐体（ディスプレイ筐体２６）が回転可能に連結される。第二筐体が第一開口部４０を開放している状態で、第二開口部４２を閉塞する閉塞部材（ヒンジ３４）を有する。【選択図】図２
2018050194.tif 000002
【特許請求の範囲】
【請求項１】
スピーカの音を外部に出す第一開口部及び第二開口部を備える第一筐体と、
前記第一筐体に回転可能に連結され前記第一筐体に対する回転角度によって前記第一開口部を閉塞する第二筐体と、
前記第二筐体が前記第一開口部を開放している状態で、前記第二開口部を閉塞する閉塞部材と、
を有する端末装置。
【請求項２】
前記第一筐体と前記第二筐体とを回転可能に連結するヒンジを有し、
前記ヒンジが前記閉塞部材を兼ねる請求項１に記載の端末装置。
【請求項３】
前記ヒンジが、
前記第一筐体に設けられる第一回転軸と、
前記第二筐体に設けられる第二回転軸と、
前記第一回転軸と前記第二回転軸とを連結するリンクと、
を有する請求項２に記載の端末装置。
【請求項４】
前記リンクを覆うカバー部材を有し、
前記第二筐体が前記第一開口部を開放している状態で、前記カバー部材が前記第二開口部を閉塞する請求項３に記載の端末装置。
【請求項５】
前記第二開口部の周囲では前記第一筐体が金属製であり、
前記カバー部材が樹脂製である請求項４に記載の端末装置。
【発明の詳細な説明】
【技術分野】
【０００１】
本願の開示する技術は端末装置に関する。
【背景技術】
【０００２】
本体の上面の一部に開口される第１開口部と、この第１開口部に隣接し本体の側面の一部に開口される第２開口部とを備え、第１開口部と第２開口部とから音声出力するようスピーカが配置されたパーソナルコンピュータがある。
【先行技術文献】
【特許文献】
【０００３】
【特許文献１】特開２００１−１００８６２号公報
【発明の概要】
【発明が解決しようとする課題】
【０００４】
スピーカの音を出す複数の開口部を備えた端末装置において、すべての開口部から音が出ると、たとえば端末装置の背面側（使用者に向いていない側）の開口部からも音が出るため、実質的な音量が不足することがある。
【０００５】
本願の開示技術は、１つの側面として、スピーカの音を出す複数の開口部を有する端末装置において、音量不足を抑制することが目的である。
【課題を解決するための手段】
【０００６】
本願の開示する技術では、スピーカの音を外部に出す第一開口部及び第二開口部を備える第一筐体に、第二筐体が回転可能に連結される。第二筐体が第一開口部を開放している状態で、第二開口部を閉塞する閉塞部材を有する。
【発明の効果】
【０００７】
本願の開示する技術では、スピーカの音を出す複数の開口部を有する端末装置において、音量不足を抑制できる。
【図面の簡単な説明】
【０００８】
【図１】図１は第一実施形態の端末装置の一例であるコンピュータを示す斜視図である。
【図２】図２は第一実施形態の端末装置の一例であるコンピュータを部分的に拡大して示す図１の２−２線断面図である。
【図３】図３は第一実施形態の端末装置の一例であるコンピュータを部分的に拡大しディスプレイ筐体の回転角度が０度の状態で示す断面図である。
【図４】図４は第一実施形態の端末装置の一例であるコンピュータを示す斜視図である。
【図５】図５は第一実施形態の端末装置の一例であるコンピュータを部分的に拡大して示す図４の５−５線断面図である。
【図６】図６は第一実施形態の端末装置の一例であるコンピュータを示す斜視図である。
【図７】図７は第一実施形態の端末装置の一例であるコンピュータを部分的に拡大して示す図６の７−７線断面図である。
【図８】図８は第一実施形態の端末装置の一例であるコンピュータを示す斜視図である。
【図９】図９は第一実施形態の端末装置の一例であるコンピュータを部分的に拡大して示す図８の９−９線断面図である。
【発明を実施するための形態】
【０００９】
第一実施形態の端末装置の一例であるコンピュータについて、図面に基づいて詳細に説明する。
【００１０】
図１及び図２に示すように、第一実施形態のコンピュータ２２は、本体筐体２４と、ディスプレイ筐体２６を有する。本体筐体２４は第一筐体の一例であり、ディスプレイ筐体２６は第二筐体の一例である。
【００１１】
本体筐体２４の内部には、プロセッサやメモリ等が備えられており、コンピュータの本体として本体筐体２４が機能する。
【００１２】
本体筐体２４において、図２の上側に位置する面は操作面２４Ｅである。図１に示すように、操作面２４Ｅには、キーボード２８やタッチパッド３０が備えられる。
【００１３】
ディスプレイ筐体２６において、図２の左上側に位置する面は表示面２６Ｅである。図１に示すように、表示面２６Ｅには、ディスプレイ３２が備えられる。
【００１４】
本体筐体２４とディスプレイ筐体２６とは、ヒンジ３４によって回転可能に連結されている。具体的には、本体筐体２４における４つの側面のうちの１つの側面２４Ａと、ディスプレイ筐体２６の４つの側面のうちの１つの側面２６Ａを連結するように、ヒンジ３４が設けられている。本実施形態では、図１に示すように、ヒンジ３４は、本体筐体２４の幅方向（矢印Ｗ方向）に離間して、２つ設けられている。
【００１５】
図３に示すように、ディスプレイ筐体２６は、本体筐体２４に対して、表示面２６Ｅが操作面２４Ｅに重なった状態を採り得る。そして、この状態からディスプレイ筐体２６は、矢印Ｒ１方向に回転する。
【００１６】
図１に示すように、ヒンジ３４を中心として本体筐体２４から測ったディスプレイ筐体２６の角度を回転角度θとする。図３の状態では、ディスプレイ筐体２６の回転角度θは０度である。
【００１７】
図１に示すように、ディスプレイ筐体２６の回転角度θが９０度以上１８０度以下の状態は、たとえば、コンピュータ２２を、ノート型コンピュータとして使用するのに適している。後述する閾値角度α１は、回転角度θが９０度以上１８０度以下の所定の角度、たとえば１３５度に設定されている。
【００１８】
ディスプレイ筐体２６は、図４及び図５に示すように回転角度θが１８０度の状態を経て矢印Ｒ１方向にさらに回転する。そして、図６及び図７に示すように、ディスプレイ筐体２６は、回転角度θが３６０度である状態を採る。この状態では、たとえば、コンピュータ２２をタブレット型コンピュータとして使用するのに適している。
【００１９】
本体筐体２４において、ヒンジ３４が設けられていない側面２４Ｂ、２４Ｃ、２４Ｄのうちの少なくとも１つの側面（図１の例では側面２４Ｂ）には、接続端子３６が設けられている。接続端子３６には、外部機器と接続するためにそれぞれ対応した各種ケーブルを接続できる。接続端子３６は、ヒンジ３４が設けられた側面２４Ａには設けられていないので、ケーブルを接続した場合でも、ディスプレイ筐体２６の回転に際しケーブルが邪魔になったり、回転が制限されたりすることがない。
【００２０】
本体筐体２４の内部には、スピーカ３８が設けられている。図２に示す例では、スピーカ３８は、側面２４Ａに近い位置に配置されている。
【００２１】
本体筐体２４において、操作面２４Ｅには、第一開口部４０が形成され、側面２４Ａには第二開口部４２が形成されている。
【００２２】
図２に詳細に示すように、ヒンジ３４は、第一回転軸４４、第二回転軸４６及びリンク４８を有する。
【００２３】
第一回転軸４４は、ブラケット５２により、本体筐体２４に取り付けられており、第二回転軸４６は、ブラケット５４により、ディスプレイ筐体２６に取り付けられている。第一回転軸４４と第二回転軸４６とは平行である。リンク４８は、第一回転軸４４と第二回転軸４６とを連結している。
【００２４】
ヒンジ３４は、ヒンジカバー５０を有する。ヒンジカバー５０は、第一回転軸４４、第二回転軸４６及びリンク４８を覆っている。
【００２５】
ヒンジ３４は、ロック部材５６を有する。ロック部材５６は、ディスプレイ筐体２６の回転角度θが０度以上で閾値角度α１以下の範囲では、リンク４８をディスプレイ筐体２６に対し回転自在とし、本体筐体２４に対してロックする（回転不能とする）。この状態では、ヒンジ３４は、ヒンジカバー５０が第二開口部４２を閉塞する位置（以下、「閉塞位置ＴＰ」という）でロックされる。
【００２６】
ロック部材５６は、ディスプレイ筐体２６の回転角度θが閾値角度α１を超えて３６０度以下の範囲では、リンク４８を本体筐体２４に対し回転自在とし、ディスプレイ筐体２６に対しロックする（回転不能とする）。図５及び図７に示すように、ヒンジ３４（リンク４８）が閉塞位置ＴＰから矢印Ｒ２方向に回転すると、ヒンジカバー５０は第二開口部４２を開放する。
【００２７】
本実施形態では、本体筐体２４は、第二開口部４２の周囲において金属製である。また、ヒンジカバー５０は樹脂製である。ヒンジカバー５０は、本体筐体２４の第二開口部４２の周囲と同種の金属製である構造と比較して撓みやすい。
【００２８】
次に、本実施形態の作用を説明する。
【００２９】
図３に示すように、ディスプレイ筐体２６の回転角度θが０度の状態では、表示面２６Ｅが操作面２４Ｅに重なっているので、第一開口部４０は表示面２６Ｅにより閉塞されている。また、第二開口部４２はヒンジ３４（ヒンジカバー５０）によって閉塞されている。
【００３０】
これに対し、図２に示すように、ディスプレイ筐体２６の回転角度θが０度以上で、且つ閾値角度α１以下である場合は、表示面２６Ｅが操作面２４Ｅに重なっていないので、表示面２６Ｅは第一開口部４０を閉塞せず、第一開口部４０は開放されている。しかし、第二開口部４２はヒンジ３４（ヒンジカバー５０）によって閉塞されている。
【００３１】
スピーカ３８で発生された音は、本体筐体２４の外部に向けて、第一開口部４０からは出るが、第二開口部４２からは出ない（もしくは出にくい）。したがって、たとえば、コンピュータ２２の使用者が側面２４Ｄ側に位置している場合に、この使用者に対し、使用者に向いていない第二開口部４２から音が出ることが抑制される。第一開口部４０から出る音量が大きくなり、実質的な音量の不足を抑制できる。
【００３２】
本実施形態のコンピュータ２２は、図４及び図６に示すように、ディスプレイ筐体２６の回転角度θが閾値角度α１を超えた状態を採り得る。この状態では、図５及び図７に示すように、ヒンジカバー５０が第二開口部４２を開放する。すなわち、スピーカ３８で発生された音が、第一開口部４０及び第二開口部４２の両方から、本体筐体２４の外部に出る状態である。
【００３３】
なお、本実施形態のコンピュータ２２は、ディスプレイ筐体２６の回転角度θが１８０度を超えた状態で、図８に示すように、本体筐体２４の操作面２４Ｅを下にしてコンピュータ２２が用いられることがある。この場合は、図９に示すように、コンピュータ２２を設置する床面ＦＬ等によって、第一開口部４０が閉塞されるが、第二開口部４２は開放されている。したがって、スピーカ３８で発生された音は、第二開口部４２を経て本体筐体２４の外部に出る。
【００３４】
ヒンジ３４は、本体筐体２４とディスプレイ筐体２６とを回転可能に連結しており、しかも、第二開口部４２を閉塞する閉塞部材でもある。閉塞部材がヒンジ３４とは別部材であってもよいが、別部材である構造では、ディスプレイ筐体２６の回転角度θに応じて、閉塞部材を閉塞位置と開放位置とで移動させるための移動機構が必要になる。ヒンジ３４が閉塞部材を兼ねる本実施形態の構造では、別部材である構造と比較して、閉塞部材や、上記した移動機構が不要であり、部品点数が少ない。
【００３５】
ヒンジ３４は、第一回転軸４４及び第二回転軸４６を有し、さらに、第一回転軸４４と第二回転軸４６とを連結するリンク４８を有する。このように、平行な２つの軸によって、本体筐体２４とディスプレイ筐体２６とを回転可能に連結するので、ディスプレイ筐体２６の回転角度が０度の状態及び３６０度の状態の両状態で、本体筐体２４に対し隙間なく（あるいは小さな隙間で）重なった状態を容易に実現できる。
【００３６】
ヒンジ３４は、リンク４８を有しており、さらに、リンク４８を覆うヒンジカバー５０（カバー部材の一例）を有している。ヒンジカバー５０は、ヒンジ３４の一部であるので、ヒンジ３４を効果的に用いて、第二開口部４２を閉塞することができる。
【００３７】
第二開口部４２の周囲において本体筐体２４が金属製であるのに対し、ヒンジカバー５０は樹脂製である。したがって、ヒンジカバー５０は、金属製である構造と比較して撓みやすいので、第二開口部４２の周囲に密着して第二開口部４２を効果的に閉塞できる。
【００３８】
第二開口部４２の位置は、上記実施形態では側面２４Ａである。本体筐体２４の４つの側面のうちの１つの側面に第二開口部４２を設けることで、側面からスピーカ３８の音を本体筐体２４の外部に出すことができる。
【００３９】
ヒンジ３４は、側面２４Ａにおいて、本体筐体２４とディスプレイ筐体２６とを連結している。側面２４Ａは第二開口部４２が形成された面でありヒンジ３４が第二開口部４２の近くに位置するので、ヒンジ３４で第二開口部４２を閉塞するためにヒンジ３４を大型化する必要がない。
【００４０】
本体筐体２４において、接続端子３６は、ヒンジ３４が設けられていない側面２４Ｂ、２４Ｃ、２４Ｄに設けられており、ヒンジ３４が設けられた側面２４Ａには接続端子３６は設けられていない。したがって、接続端子３６に接続ケーブルを接続していても、ディスプレイ筐体２６を回転させるときに接続ケーブルが邪魔になったり、ディスプレイ筐体２６の回転が制限されたりすることがない。
【００４１】
本実施形態では、本体筐体２４は第一筐体の一例であり、本体筐体２４はスピーカ３８に加えて、キーボード２８を有する。すなわち、第一筐体として、スピーカ３８の音を出すだけでなく、操作部材としても用いることができる。同様に、ディスプレイ筐体２６は第二筐体の一例であり、ディスプレイ３２を有するので、表示部材として用いることができる。
【００４２】
本実施形態では、ロック部材５６を有する。ロック部材５６により、ディスプレイ筐体２６の回転角度θが閾値角度α１に達するまでは、ヒンジ３４（閉塞部材）を閉塞位置にロックする。すなわち、ディスプレイ筐体２６の回転角度θが閾値角度α１に達するまでは、第二開口部４２を閉塞した状態を確実に実現できる。
【００４３】
なお、上記では、第一開口部４０が、本体筐体２４の操作面２４Ｅに形成されている例を挙げたが、第一開口部４０が、操作面２４Ｅと反対側の裏面２４Ｆ（図２において、たとえば領域ＣＥとして示す範囲）に形成されていてもよい。裏面２４Ｆに形成された第一開口部４０は、ディスプレイ筐体２６の回転角度θを３６０度とした状態で、ディスプレイ筐体２６によって閉塞される。この場合でも、ヒンジ３４（閉塞部材）は第二開口部４２を閉塞していない。すなわち、スピーカ３８で発生された音が、第二開口部４２を経て本体筐体２４の外部に出る状態を実現できる。
【００４４】
上記では、第一筐体の一例として、プロセッサやメモリ等が備えられた本体筐体２４を挙げているが、たとえば、プロセッサやメモリは、ディスプレイ筐体２６に備えられていてもよい。この場合、第一筐体としては、キーボード２８やタッチパッド３０が備えられる入力装置として機能する。また、第一筐体としては、キーボード２８やタッチパッド３０を有さない構造でもよい。
【００４５】
また、上記では、第二筐体の一例として、ディスプレイ３２が備えられたディスプレイ筐体２６を挙げたが、ディスプレイ３２が備えられていない構造であってもよい。この場合には、たとえば、ディスプレイは本体筐体２４（第一筐体）に設けることができる。そして、第二筐体は、たとえば、第一筐体のディスプレイを覆う蓋として機能する。
【００４６】
以上、本願の開示する技術の実施形態について説明したが、本願の開示する技術は、上記に限定されるものでなく、上記以外にも、その主旨を逸脱しない範囲内において種々変形して実施可能であることは勿論である。
【００４７】
本明細書は、以上の実施形態に関し、さらに以下の付記を開示する。
（付記１）
スピーカの音を外部に出す第一開口部及び第二開口部を備える第一筐体と、
前記第一筐体に回転可能に連結され前記第一筐体に対する回転角度によって前記第一開口部を閉塞する第二筐体と、
前記第二筐体が前記第一開口部を開放している状態で、前記第二開口部を閉塞する閉塞部材と、
を有する端末装置。
（付記２）
前記第一筐体と前記第二筐体とを回転可能に連結するヒンジを有し、
前記ヒンジが前記閉塞部材を兼ねる付記１に記載の端末装置。
（付記３）
前記ヒンジが、
前記第一筐体に設けられる第一回転軸と、
前記第二筐体に設けられる第二回転軸と、
前記第一回転軸と前記第二回転軸とを連結するリンクと、
を有する付記２に記載の端末装置。
（付記４）
前記リンクを覆うカバー部材を有し、
前記第二筐体が前記第一開口部を開放している状態で、前記カバー部材が前記第二開口部を閉塞する付記３に記載の端末装置。
（付記５）
前記第二開口部の周囲では前記第一筐体が金属製であり、
前記カバー部材が樹脂製である付記４に記載の端末装置。
（付記６）
前記第一筐体の側面に前記第二開口部が設けられる付記５に記載の端末装置。
（付記７）
前記ヒンジが、前記第一筐体の前記側面で前記第二筐体を連結する付記６に記載の端末装置。
（付記８）
前記第一筐体の側面のうち前記ヒンジが設けられていない側面に接続端子が設けられる付記７に記載の端末装置。
（付記９）
前記第一筐体において、キーボードを備える操作面に前記第一開口部が設けられ、
前記第二筐体において、ディスプレイを備える表示面で前記第一開口部を閉塞する付記１〜付記８のいずれか１つに記載の端末装置。
（付記１０）
前記操作面に前記表示面が重なった閉状態から前記第二筐体の前記第一筐体に対する回転角度が閾値角度に達するまでは、前記第二開口部を閉塞した状態で前記閉塞部材をロックするロック部材を有する付記９に記載の端末装置。
【符号の説明】
【００４８】
２２  コンピュータ（端末装置の一例）
２４  本体筐体（第一筐体の一例）
２４Ａ      側面
２４Ｅ      操作面
２６  ディスプレイ筐体（第二筐体の一例）
２６Ａ      側面
２６Ｅ      表示面
２８  キーボード
３０  タッチパッド
３２  ディスプレイ
３４  ヒンジ
３６  接続端子
３８  スピーカ
４０  第一開口部
４２  第二開口部
４４  第一回転軸
４６  第二回転軸
４８  リンク
５０  ヒンジカバー（カバー部材の一例）
５６  ロック部材
【図１】
2018050194.tif 000003
【図２】
2018050194.tif 000004
【図３】
2018050194.tif 000005
【図４】
2018050194.tif 000006
【図５】
2018050194.tif 000007
【図６】
2018050194.tif 000008
【図７】
2018050194.tif 000009
【図８】
2018050194.tif 000010
【図９】
2018050194.tif 000011